(57)【要約】【課題】限られた大きさの表示領域の中において、さまざまな情報画像を視認性高く表示可能な表示装置を提供する。【解決手段】コンバインに備えられる表示装置３０であって、画面部３４と、画面部３４を制御する画面制御部とが備えられ、画面制御部は、画面部３４を複数の任意表示領域５３ａ〜５３ｄに分けるように構成され、かつ、複数の任意表示領域５３ａ〜５３ｄの形状を画面部３４における位置に応じて異ならせるとともに、任意表示領域５３ａ〜５３ｄごとに、その形状に応じた態様によって、少なくともコンバインの機体又はコンバインによる作業についての設定又は状態に関する各種情報に応じた情報画像を表示可能に構成されている。【選択図】図２
2019004799.tif 000002
【特許請求の範囲】
【請求項１】
作業機に備えられる表示装置であって、
画面部と、前記画面部を制御する画面制御部とが備えられ、
前記画面制御部は、前記画面部を複数の任意表示領域に分けるように構成され、かつ、前記複数の任意表示領域の形状を前記画面部における位置に応じて異ならせるとともに、前記任意表示領域ごとに、その形状に応じた態様によって、少なくとも前記作業機の機体又は前記作業機による作業についての設定又は状態に関する各種情報に応じた情報画像を表示可能に構成されている表示装置。
【請求項２】
前記画面制御部は、前記任意表示領域ごとに、前記各種情報のうち、人為的な指示に基づいて選択された情報に応じた選択情報画像を表示すること、又は、人為的な指示に基づいていずれの情報に応じた情報画像も表示させないことが設定可能に構成されている請求項１に記載の表示装置。
【請求項３】
前記画面制御部は、前記複数の任意表示領域を、少なくとも横方向又は縦方向に並んで配置するように構成されている請求項１又は２に記載の表示装置。
【請求項４】
前記画面制御部は、前記複数の任意表示領域のうち、いずれか隣り合う任意表示領域の一方の任意表示領域には前記情報画像を表示し、他方の任意表示領域には前記情報画像を表示しないときは、両任意表示領域に前記情報画像を表示するときよりも、前記一方の任意表示領域を前記他方の任意表示領域側へと拡張又は移動させるように構成されている請求項３に記載の表示装置。
【請求項５】
前記各種情報に、少なくとも数値によって前記設定ないし状態が表される数値情報が含まれ、
前記画面制御部は、前記数値情報に応じた数値情報画像を、前記複数の任意表示領域のうち前記画面部において最も端に位置する任意表示領域にのみ表示可能に構成されている請求項３又は４に記載の表示装置。
【請求項６】
前記各種情報に、少なくとも数値によって前記設定ないし状態が表される数値情報と、少なくともバーグラフによって前記設定ないし状態が表される増減情報とが含まれ、
前記画面制御部は、前記数値情報に応じた数値情報画像を、前記複数の任意表示領域に表示するにあたり、該数値情報画像を表示することとなる任意表示領域を、該任意表示領域に、前記増減情報に応じた増減情報画像を表示させるときよりも、拡張して表示するように構成されている請求項３から５のいずれか一項に記載の表示装置。
【請求項７】
前記画面制御部は、前記各種情報のそれぞれに応じた前記情報画像を、前記各種情報に応じた態様によって前記画面部に表示するように構成されている請求項１から６のいずれか一項に記載の表示装置。
【発明の詳細な説明】
【技術分野】
【０００１】
本発明は、作業機に備えられる表示装置に関する。
【背景技術】
【０００２】
上記のような表示装置は、作業機としてのコンバインに備えられる。該コンバインは、機体に走行部、刈取部、脱穀部、選別部、貯留部、排出部、操縦部等の作業部及びこれらの動力源としてのエンジンが備えられている。
【０００３】
操縦部には、操縦席を中心にしてその周辺にコンバインを操作する操作具や、コンバインに関する各種情報を表示する表示装置が配置される。
【０００４】
該表示装置に備えられた液晶表示器には、走行速度、エンジンの回転速度、穀粒貯留量、燃料残量、脱穀部負荷、選別部負荷、運転時間、変速表示、及び各種警報等のさまざまな情報に応じた情報画像が表示されるように構成されている。
【先行技術文献】
【特許文献】
【０００５】
【特許文献１】特開２０１４−１７６３１５号公報
【発明の概要】
【発明が解決しようとする課題】
【０００６】
しかし、液晶表示器は、表示領域が有限である以上、さまざまな情報画像を一度に表示するには、各情報画像の表示を小さくせざるを得ないため、視認性が良くないという問題があった。
【０００７】
本発明は、上述した問題点に鑑みてなされたもので、限られた大きさの表示領域の中において、さまざまな情報画像を視認性高く表示可能な表示装置を提供することを目的とする。
【課題を解決するための手段】
【０００８】
上述の目的を達成するための、本発明に係る表示装置の特徴構成は、作業機に備えられる表示装置であって、画面部と、前記画面部を制御する画面制御部とが備えられ、前記画面制御部は、前記画面部を複数の任意表示領域に分けるように構成され、かつ、前記複数の任意表示領域の形状を前記画面部における位置に応じて異ならせるとともに、前記任意表示領域ごとに、その形状に応じた態様によって、少なくとも前記作業機の機体又は前記作業機による作業についての設定又は状態に関する各種情報に応じた情報画像を表示可能に構成されている点にある。
【０００９】
上述の構成によると、少なくとも前記作業機の機体又は前記作業機による作業についての設定又は状態に関する各種情報を、画面部において表示することとなる任意表示領域の形状に応じて異ならせるとともに、その形状に応じた態様によって、少なくとも前記作業機の機体又は前記作業機による作業についての設定又は状態に関する各種情報に応じた情報画像を表示することによって、視認性を高めることができる。
【００１０】
本発明においては、前記画面制御部は、前記任意表示領域ごとに、前記各種情報のうち、人為的な指示に基づいて選択された情報に応じた選択情報画像を表示すること、又は、人為的な指示に基づいていずれの情報に応じた情報画像も表示させないことが設定可能に構成されていると好適である。
【００１１】
上述の構成によると、必要とする情報のみを画面部に表示させることができる。
【００１２】
本発明においては、前記画面制御部は、前記複数の任意表示領域を、少なくとも横方向又は縦方向に並んで配置するように構成されていると好適である。
【００１３】
上述の構成によると、限られた大きさの表示領域において、各種情報に応じた情報画像を視認性高く表示することができ、さらに、表示の意匠性を高めることができる。
【００１４】
本発明においては、前記画面制御部は、前記複数の任意表示領域のうち、いずれか隣り合う任意表示領域の一方の任意表示領域には前記情報画像を表示し、他方の任意表示領域には前記情報画像を表示しないときは、両任意表示領域に前記情報画像を表示するときよりも、前記一方の任意表示領域を前記他方の任意表示領域側へと拡張又は移動させるように構成されていると好適である。
【００１５】
上述の構成によると、限られた大きさの表示領域を有効に利用することができ、視認性を高めることができる。
【００１６】
本発明においては、前記各種情報に、少なくとも数値によって前記設定ないし状態が表される数値情報が含まれ、前記画面制御部は、前記数値情報に応じた数値情報画像を、前記複数の任意表示領域のうち前記画面部において最も端に位置する任意表示領域にのみ表示可能に構成されていると好適である。
【００１７】
上述の構成によると、限られた大きさの表示領域を有効に利用することができ、視認性を高めることができる。
【００１８】
本発明においては、前記各種情報に、少なくとも数値によって前記設定ないし状態が表される数値情報と、少なくともバーグラフによって前記設定ないし状態が表される増減情報とが含まれ、前記画面制御部は、前記数値情報に応じた数値情報画像を、前記複数の任意表示領域に表示するにあたり、該数値情報画像を表示することとなる任意表示領域を、該任意表示領域に、前記増減情報に応じた増減情報画像を表示させるときよりも、拡張して表示するように構成されていると好適である。
【００１９】
バーグラフは、例えば上下方向に沿って単位目盛りが配置され、前記各種情報に応じて前記単位目盛り間に所定の表示色を表示させるように構成された構成である。一方、数値情報は、具体的な数値によって各種情報を表示する構成である。したがって、数値情報のほうが、表示に広いスペースが必要である。上述の構成によると、数値情報に応じた数値情報画像を表示するときには、十分なスペースを割り当てることによって、数値情報の視認性を高めることができる。
【００２０】
本発明においては、前記画面制御部は、前記各種情報のそれぞれに応じた前記情報画像を、前記各種情報に応じた態様によって前記画面部に表示するように構成されていると好適である。
【００２１】
上述の構成によると、各種情報のそれぞれを、それぞれの対応による情報画像を用いて表示するため、視認性や可読性を高めることができる。
【図面の簡単な説明】
【００２２】
【図１】本発明に係る表示装置が備えられたコンバインの説明図
【図２】本発明に係る表示装置の正面図
【図３】本発明に係る表示装置の断面図
【図４】表示制御装置及び機体制御装置のブロック図
【図５】昼夜の切り替えの説明図
【図６】任意表示領域における表示の変更の説明図
【図７】任意表示領域における表示の変更の説明図
【図８】画面状態の切り替え及び情報表示モードと設定モードとの切り替えの説明図
【図９】設定モードについての説明図
【図１０】異常情報の説明図
【図１１】重度の警報情報の説明図
【図１２】軽度の警報情報の説明図
【図１３】軽度の警報情報が複数存在するときの説明図
【図１４】自己診断情報が複数存在するときの説明図
【図１５】軽度の警報情報と自己診断情報とが混在するときの説明図
【図１６】指示情報の説明図
【図１７】操作画像の説明図
【図１８】カメラ画像モードの説明図
【図１９】喚起画像の説明図
【図２０】本発明に係る表示装置が備えられたコンバインの説明図
【発明を実施するための形態】
【００２３】
本発明を実施するための形態について、図面に基づいて説明する。
【００２４】
〔作業機〕
図１には、本発明に係る表示装置３０が備えられた普通型のコンバイン（本発明に係る「作業機」に相当する。）１が示されている。
【００２５】
普通型のコンバイン１（以下、コンバイン１という。）は、機体に走行部（図示せず）、刈取部２、脱穀部３、選別部４、貯留部５、排出部６、操縦部９等の作業部及びこれらの動力源としてのエンジン（図示せず）が備えられるとともに、各作業部及びエンジンを制御する機体制御装置２０（図４参照）が備えられている。
【００２６】
走行部は、左右一対のクローラ式走行部から構成され、機体を前進、後進及び旋回させるように構成されている。走行部には、機体の走行速度を検出する走行速度センサー１ａ（図４参照）や、駐車ブレーキ（図示せず）が掛かっていることを検出するブレーキセンサー１ｂ（図４参照）が備えられている。なお、走行部は、クローラ式走行部に限らず、ホイール式走行部から構成されていてもよい。
【００２７】
刈取部２は、機体のうち前部に、機体に対して昇降可能に設けられるとともに、機体の前進に伴って圃場の穀物を引き起こして刈り取りし、脱穀部３へ送るように構成されている。
【００２８】
脱穀部３は、機体のうち刈取部２の左後方に設けられ、刈取部２から送られてきた穀物を受け取り、こぎ胴によって脱穀するように構成されている。なお、脱穀された処理物（以下、脱穀処理物という。）は、選別部４へ落下するように構成されている。脱穀部３には、脱穀部３の負荷を検出するこぎ胴センサー３ａ（図４参照）や、こぎ胴のカバーが適切に閉じられていないことを検出するカバーセンサー（図示せず）が備えられている。
【００２９】
選別部４は、機体のうち脱穀部３の下方に設けられた、脱穀部３から送られてきた脱穀処理物を、比重選別等の選別方式によって、選別の目的物であるモミと、排わら等の排出物とに分別するように構成されている。なお、モミは貯留部５に送られ、排出物はコンバイン１の外部に排出される。選別部４には、選別部４の負荷を検出するシーブセンサー４ａ（図４参照）が備えられている。
【００３０】
貯留部５は、機体のうち選別部４の右方に設けられ、選別部４から送られてきたモミを貯留するように構成されている。貯留部５には、貯留部５に貯留されているモミの水分・タンパクの含有率を検出する食味センサー５ａ（図４参照）、及び貯留部５に貯留されているモミの収量を検出する収量センサー５ｂ（図４参照）が備えられている。
【００３１】
排出部６は、機体のうち貯留部５の上方に設けられた、いわゆるアンローダであり、貯留部５に貯留されているモミをコンバイン１の外部に排出するように構成されている。排出部６には、アンローダの旋回を検出する旋回センサー６ａ（図４参照）が備えられている。
【００３２】
エンジンは、ディーゼル軽油を燃料として駆動するディーゼルエンジンから構成されている。エンジンには、エンジンの回転速度を検出する回転速度センサー７ａ（図４参照）、エンジンの水温を検出する水温センサー７ｂ（図４参照）が備えられている。ディーゼル軽油が貯留される燃料タンクには、その残量を検出する燃料センサー７ｃ（図４参照）が備えられている。
【００３３】
さらに、コンバイン１の機体にはカメラ８が備えられ、コンバイン１の後方を撮影可能となっている。
【００３４】
操縦部９は、機体のうち刈取部２の右後方であって、貯留部５の前方に設けられ、コンバイン１を操縦する作業員が搭乗可能に構成されている。操縦部９に、運転席１０、運転操作部１１、表示装置３０等が設けられている。
【００３５】
運転席１０は、作業員の長時間の着席を可能とする座り心地の良い座席から構成されている。作業員は運転席１０の右側に設けられている昇降部１２を介して運転席１０に対して乗り降りすることができる。
【００３６】
運転操作部１１は、走行操作具としての操作レバー部１３、変速操作具としての主変速レバー１４、クラッチレバー１５、及び操作パネル部１６等を有している。
【００３７】
操作レバー部１３は、運転席１０の右前方に設けられている。操作レバー部１３は、前後左右の十字方向に揺動可能であり、例えば、操作レバー部１３が右方向に揺動操作されると、コンバイン１が右方向に旋回するように走行部が制御され、操作レバー部１３が左方向に揺動操作されると、コンバイン１が左方向に旋回するように走行部が制御される。
【００３８】
なお、機体の左右にはウインカーランプ１８，１９が設けられ、ウインカーランプ１８，１９は、操作パネル部１６に設けられたウインカースイッチの操作に応じて点滅するように構成されている。ウインカーランプ１８，１９は、ウインカースイッチの再操作によって、又は操作レバー部１３の左右方向への揺動操作の終了に伴って、点滅が終了するように構成されている。
【００３９】
操作レバー部１３が前方向に揺動操作されると、刈取部２が下降し、操作レバー部１３が後方向に揺動操作されると、刈取部２が上昇する。さらに、操作レバー部１３には、水平面に対する機体の前後左右の傾きを調節する傾き調節装置のための傾斜角手動調節スイッチ郡が設けられている。
【００４０】
主変速レバー１４は、前後に揺動可能であり、例えば主変速レバー１４が前方に揺動操作されると、コンバイン１が前進するように走行部が制御され、主変速レバー１４が後方に揺動操作されると、コンバイン１が後進するように走行部が制御される。さらに、主変速レバー１４には、走行速度域と作業速度域とを切り替える副変速スイッチや、通常時と倒伏時とにおいてこぎ深さを切り替える切替スイッチ等が設けられている。
【００４１】
クラッチレバー１５は、前後に揺動可能であり、その操作に応じて脱穀クラッチ及び刈取クラッチの入切等が切り替えられるように構成されている。
【００４２】
操作パネル部１６は、運転席１０の左側方に設けられている。操作パネル部１６には、エンジンの始動及び停止切替スイッチ、刈り取り高さの調節ノブ、車速の調節ノブ、及び脱穀対象物の選択ノブ等のノブ類や、アンローダの姿勢変更ボタン、アンローダによるモミ排出の開始ボタン、及びモミ排出の停止ボタン等のボタン類等を有する操作ボタン群が設けられている。
【００４３】
図４に示すように、機体制御装置２０に、機体制御部２１、機体通信部２２、及び機体記憶部２３が備えられ、上述した各作業部に備えられた走行速度センサー１ａ、ブレーキセンサー１ｂ、こぎ胴センサー３ａ、シーブセンサー４ａ、食味センサー５ａ、収量センサー５ｂ、旋回センサー６ａ、回転速度センサー７ａ、水温センサー７ｂ、及び燃料センサー７ｃ等の各種センサーからの検出信号に基づいて、走行速度、駐車ブレーキの状態、わら処理の状態（カッタ、ドロッパ）、副変速機の状態、刈高さ、脱穀対象物の種別（稲、麦、大麦）、こぎ胴の負荷レベル、シーブの負荷レベル、食味、収量、アンローダの旋回、エンジンの回転速度、水温、尿素ＳＣＲ残量、及び燃料レベル等の各種情報を取得したり、カメラ８からの画像信号に基づいて撮影画像を取得したり、機体通信部２２及び表示通信部４２間で通信を行うことによって操縦部９側から取得した操作信号に基づいて各作業部及びエンジンを制御するように構成されている。また、コンバイン１による作業開始時に、表示制御装置４０において入力されたパスワード信号を受信して、これが正しいとエンジンを始動させ、正しくないとエンジンを始動させないといった制御が可能に構成されている。機体制御装置２０は、ＣＰＵ、ＲＯＭ、ＲＡＭ、Ｉ／Ｏ等が基板に実装されたマイコンから構成されている。
【００４４】
上述の構成によって、コンバイン１は、操縦部９における操作に基づいて、エンジンの動力を各作業部に伝達し、走行部によってコンバイン１を走行させながら、刈取部２によって圃場の穀物を刈り取り、脱穀部３によって脱穀し、選別部４において分別し、貯留部５においてモミを貯留するといった各作業が行われるように構成されている。
【００４５】
〔表示装置〕
表示装置３０は、例えば走行速度、燃料レベル等の情報を表示するものであり、運転席１０に着座した作業員が視認及び操作しやすい位置に配置される。図１に示すように、本実施形態においては、運転席１０の左前方に配置されている。表示装置３０は、運転席１０に着座した作業員の視界の前方から外れるため、圃場の前方を広く見渡しながらの作業が可能となる。
【００４６】
図２に示すように、表示装置３０は、筐体３１の正面視において、左側に表示部３２が備えられ、右側に操作部３３が備えられている。筐体３１の内部に、表示部３２に備えられた画面部３４に表示する各種情報を制御する表示制御装置４０（図４参照）が備えられている。
【００４７】
画面部３４に表示される各種情報には、走行速度、駐車ブレーキの状態、わら処理の状態（カッタ、ドロッパ）、副変速機の状態、刈高さ、脱穀対象物の種別（稲、麦、大麦）、こぎ胴の負荷レベル、シーブの負荷レベル、食味、収量、アンローダの旋回、エンジンの回転速度、水温、尿素ＳＣＲ残量、及び燃料レベル、運転時間、日時等の各種情報、操作部３３の操作内容、各種報知情報等が含まれ、表示制御装置４０は、必要に応じて表示通信部４２及び機体通信部２２間で通信を行うことによって機体制御装置２０が有する情報を取得することができるように構成されている。
【００４８】
図２及び図３に示すように、筐体３１は、例えば樹脂の射出成型等によって、全体として横長の矩形状であり、かつ各角部は丸みを帯びた形状であり、さらに操作部３３における表面が、表示部３２における表面に対して、手前側に傾斜しながら立ち上がるような形状に形成されている。このような形状により、操作部３３側を作業員に近づけることができるため、作業員の指が届きやすく操作性がよい。
【００４９】
筐体３１は、少なくとも操作部３３側において、その厚みが、作業員の手によって掴むことができるように構成され、操作部３３は作業員が操作部３３を掴んだ状態において操作可能に構成されている。作業員は、親指によって操作部３３を操作するにあたり、筐体３１の裏面に親指以外の指をまわし筐体３１を支えることができる。したがって、コンバイン１の走行中のように機体が揺れる状況下においても確実な操作が可能となっている。
【００５０】
筐体３１は、正面視において、操作部３３側の下側角部が切りかかれた形状に構成されている。そのため、作業員の乗降の際や着席した際に、作業員の脚部、特に膝部があたりにくい。したがって、作業員の乗降の際に邪魔になりにくく、着座の際に両足を開き気味の安定した姿勢をとることができる。また、作業員が操作部３３を掴んだ際に、操作部３３に備えられている、後述する操作具３８に指が届きやすいため操作性がよい。
【００５１】
〔表示部〕
筐体３１は表示部３２側に矩形開口部３１ａと細長開口部３１ｂとが備えられ、操作部３３側に台形開口部３１ｃが備えられている。筐体３１は、正面視において、矩形開口部及び細長開口部の裏面にはパネル体３１ｄが備えられている。
【００５２】
画面部３４は、本実施形態においては、横長の矩形の表示領域を有するカラー液晶モニターから構成されている。カラー液晶モニターは、視認性、省スペース、価格等の観点から７インチ程度の大きさが好ましい。
【００５３】
画面部３４は、表示制御装置４０によって制御され、少なくともコンバイン１の機体又はコンバイン１による作業についての設定又は状態に関する各種情報に応じた情報画像を表示可能となっている。
【００５４】
パネル体３１ｄは、樹脂性の平板から構成され、画面部３４の表示領域に対応する箇所において、光透過性を有するように構成されている。
【００５５】
筐体３１の正面視において、画面部３４と操作部３３との間において、画面部３４と間隔をあけて、コンバイン１の作業負荷のレベル、本実施形態においてはエンジンの負荷の状態を表す負荷表示部３５が備えられている。
【００５６】
コンバイン１の作業負荷のレベルとしてエンジンの負荷の状態は、適切な作業の継続の観点から、重要度が高い情報であり、このような重要度が高い情報を、画面部３４とは別に、表示部３２よりも作業員の近くに設けた負荷表示部３５によって、その他の各種情報とは分けて表示することにより、視認性が高められている。また、操作部３３を作業員の近くに配置することによって操作性が高められている。
【００５７】
画面部３４の同じ表示領域内に、作業負荷のレベルを表す画像を表示しようとすると、作業負荷のレベルを表すためのプログラムが必要となったり、その他の情報画像を表示するスペースが少なくなってしまうため、視認性を高めるには、より大きな表示領域を有する画面部３４が必要となってしまう。カラー液晶モニターは、表示領域が大きなものほど、筐体を大きくする必要があり、また高価になってしまう。画面部３４と負荷表示部３５と分けることにより、作業負荷のレベルを表すためのプログラムや、大きな表示領域を有する画面部３４が不要となる。
【００５８】
また、画面部３４と負荷表示部３５と分けることにより、画面部３４が何らかの原因により正常に機能しないときであっても、負荷表示部３５による作業負荷のレベルを確実に表すことができる。
【００５９】
負荷表示部３５は、画面部３４の右側の一辺に沿って配置された細長開口部３１ｂ内に、上下方向に並設された複数の発光部、例えば、図３に示すように、筐体３１の内部に備えられた基板３６に実装された複数の白色のＬＥＤ素子３５ｚによって各セグメント３５ａ〜３５ｅが構成されたレベルメータから構成されている。
【００６０】
文字や数値によってエンジンの負荷の状態を表示する場合にくらべて、作業員は容易にその状態を確認することができる。なお、負荷表示部３５は、上下方向にまっすぐ備えられていてもよし、多少湾曲して備えられてもよい。
【００６１】
パネル体３１ｄは、各セグメント３５ａ〜３５ｅが配置されている箇所において光透過性を有しながらも、セグメント３５ａ〜３５ｃに対応する箇所は緑色に、セグメント３５ｄに対応する箇所は橙色に、セグメント３５ｅに対応する箇所は赤色に着色されて構成されている。
【００６２】
各ＬＥＤ素子は、作業負荷のレベルに応じて、セグメント３５ａからセグメント３５ｅにかけて発光制御され、例えば作業負荷のレベルが低いときは、セグメント３５ａのみが点灯し、作業負荷のレベルが増えるにつれて点灯するセグメントが増え、作業負荷のレベルが最も高いと全セグメント３５ａ〜３５ｅが点灯する。
【００６３】
負荷表示部３５は、画面部３４の右側の一辺に沿って上下方向に各セグメント３５ａ〜３５ｅが並設され、さらに作業負荷のレベルが最も高いときに、最も上にあるセグメント３５ｅを点灯させるように構成されている。したがって、作業負荷が高いほど作業員の注意を引きやすい。
【００６４】
矩形開口部３１ａと細長開口部３１ｂとは、縦方向に同じ長さに構成され、負荷表示部３５は、細長開口部３１ｂの縦方向と略同じ長さに亘って各セグメント３５ａ〜３５ｅが配置されている。したがって、負荷表示部３５は、画面部３４の右側の一辺よりも長く、矩形開口部３１ａの縦方向の長さ、すなわち画面部３４、及び後述する標識配設部３７が配置されている領域と長さと同じ長さを有する。
【００６５】
画面部３４とは別に負荷表示部３５を設けることによって、負荷表示部３５の視認性を高めることができる。その際、負荷表示部３５を、画面部３４と操作部３３との間に配置しながらも、画面部３４と操作部３３とが離れすぎていないため、筐体３１をコンパクトにすることができる。
【００６６】
さらに、表示部３２には、画面部３４の下方に、画面部３４と間隔をあけて標識配設部３７が備えられている。標識配設部３７は、画面部３４の下側の一辺と同じ横幅を有し、該一辺に沿うように設けられている。標識配設部３７に、コンバイン１に関する所定の情報に対応した標識３７ａ〜３７ｊが配置されている。
【００６７】
具体的には、標識配設部３７には、ウインカーランプ１８の点滅と同調して点滅する標識３７ａ、充電系統に異常が発生しているときに点灯する標識３７ｂ、エンジンの回転中において潤滑系統が異常のときに点灯する標識３７ｃ、エンジンに関して異常が発生しているときに点灯する標識３７ｄ、駐車ブレーキが掛かっているときに点灯する標識３７ｅ、燃料の残量が少なくなったときに点灯する標識３７ｆ、尿素水の品質異常があるときに点灯する標識３７ｇ、尿素ＳＣＲシステムに異常が発生しているときに点灯する標識３７ｈ、作業灯の点灯と同調して点灯する標識３７ｉ、ウインカーランプ１９の点滅と同調して点滅する標識３７ｊが備えられている。
【００６８】
パネル体３１ｄは、各標識３７ａ〜３７ｊが配置されている箇所において、光透過性を有しながらも、標識３７ａ，３７ｊに対応する箇所は緑色に、標識３７ｂ，３７ｃ，３７ｄ，３７ｅ，３７ｈに対応する箇所は赤色に、標識３７ｆに対応する箇所は黄色に、標識３７ｉに対応する箇所は青色に着色されて構成されている。
【００６９】
図３に示すように、基板３６には、各標識３７ａ〜３７ｊに対応する位置に発光部として複数の白色のＬＥＤ素子３７ｚが実装されている。各標識３７ａ〜３７ｊに対応する事象の発生に応答して各ＬＥＤ素子が発光制御されることによって、各標識３７ａ〜３７ｊが点灯ないし点滅するように構成されている。
【００７０】
このように、画面部３４とは別に標識配設部３７を設けながらも、筐体３１をコンパクトにすることができる。画面部３４、負荷表示部３５及び標識配設部３７を、全体として矩形に配置することによって、表示部３２の意匠性が高められている。
【００７１】
〔操作部〕
操作部３３は、表示部３２の右側において、作業員が画面部３４に表示される情報画像に関する操作をするためのものであり、作業員の操作を受け付ける操作具３８が備えられている。操作具３８は、筐体３１の正面視において、上下方向の中央よりも上端側に配置されている。操作具３８が作業員に近い位置に配置され指が届きやすいため操作性がよい。
【００７２】
操作具３８は、少なくとも画面部３４に表示された情報画像のスクロールを可能とする操作スイッチ群３８ａ〜３８ｄ、具体的には、上スイッチ３８ａ、左スイッチ３８ｂ、下スイッチ３８ｃ、右スイッチ３８ｄ、画面部３４に表示された内容を確定する確定スイッチ３８ｅ、及び画面部３４に各種情報に応じた情報画像が表示される情報表示モード７０と画面部３４への表示に関する設定画面が表示される設定モード８０（図８参照）とを切り替えるための設定スイッチ３８ｆを有している。
【００７３】
設定スイッチ３８ｆは、操作スイッチ群３８ａ〜３８ｄよりも、表示部３２側、具体的には、左スイッチ３８ｂ及び下スイッチ３８ｃの左下方に配置されている。設定スイッチ３８ｆは操作スイッチ群３８ａ〜３８ｄにくらべて操作頻度が低い。したがって、設定スイッチ３８ｆを、操作スイッチ群３８ａ〜３８ｄより遠い位置に配置することによって、設定スイッチ３８ｆを誤操作してしまう虞が減らされている。
【００７４】
操作具３８は、台形開口部３１ｃの内部に配置されるとともに、操作スイッチ群３８ａ〜３８ｄの操作面及び設定スイッチ３８ｆの操作面は、筐体３１の表面よりも窪んだ位置に配置されている。作業員が意図せず表示装置３０に触れてしまっても、操作具３８を誤操作してしまう虞が少ない。
【００７５】
〔表示制御装置〕
表示制御装置４０は、画面制御部４１、表示通信部４２、表示記憶部４３、操作入力部４４、及び発光制御部４５，４６を備え、操作部３３からの操作信号や、機体制御装置２０から取得した各種情報に基づいて表示装置３０を制御するものである。表示制御装置４０は、ＣＰＵ、ＲＯＭ、ＲＡＭ、Ｉ／Ｏ等が基板３６に実装されたマイコンから構成されている。
【００７６】
画面制御部４１は、画面部３４に所定の文字や画像等を所定の態様によって表示する。表示記憶部４３には、各種情報に応じた背景画像が記憶されており、画面制御部４１は、これを呼び出すとともに、例えば、湾曲した上下方向に沿って単位目盛りが配置され、各種情報に応じて単位目盛り間に所定の表示色を表示させるように構成されたグラフ状画像としてのバーグラフや、単位目盛りが円弧状に配置された目盛り盤領域と、各種情報に応じて目盛り盤領域の中心を回転軸として回転し、各種情報に応じた値をさす指針とから構成されたメータ状画像としてのタコメータを画面部３４に表示させる。なお、所定の表示色とは、一色であってもよいし、複数の色であってもよい。また、色調や明暗等が段階的に変化するようなものも含まれる。
【００７７】
図２において、画面部３４には、走行速度、わら処理の状態（カッタ、ドロッパ）、副変速機の状態、刈高さ、脱穀対象物の種別（稲、麦、大麦）、こぎ胴の負荷レベル、シーブの負荷レベル、食味、収量、エンジンの回転速度、水温、尿素ＳＣＲ残量、燃料レベル、運転時間、日時等の情報画像が表示されている。
【００７８】
画面制御部４１は、昼夜に応じて同じ情報であっても、昼には輝度が高め、図２に示すように、例えば白を基調とした情報画像により表示し、夜には輝度が低め、図５に示すように、例えば黒を基調とした情報画像により表示することができ、昼夜に応じた表示によりその視認性が高められている。なお、このような切替は、後述する設定モード８０における操作によって可能に構成されているが、時間帯によって、自動的に切替が行われるように構成されていてもよい。
【００７９】
以下、画面部３４に表示される各種画像について説明する。
【００８０】
画面制御部４１は、画面部３４を、水平方向に直線状の境界によって上下に二分されている。本実施形態においては、図２に示すように、上側がメイン領域５０であり、下側がサブ領域５１である。なお、メイン領域５０とサブ領域５１との境界は、画面制御部４１によって定義付けられていればよく、必ずしも人間が明確に認識できるような態様である必要はない。以下に説明する他の各領域についても同様である。
【００８１】
〔メイン領域〕
メイン領域５０には、コンバイン１の機体又はコンバイン１による作業についての設定又は状態に関する各種情報のうち主要な情報に応じた情報画像が表示されるため、画面部３４の大半、本実施形態においては約９０％ものスペースが割り当てられている。
【００８２】
主要な情報には、走行速度、わら処理の状態（カッタ、ドロッパ）、副変速機の状態、刈高さ、脱穀対象物の種別（稲、麦、大麦）、こぎ胴の負荷レベル、シーブの負荷レベル、食味、収量、エンジンの回転速度、水温、尿素ＳＣＲ残量、燃料レベル、操作部３３の操作内容、各種報知情報等が含まれる。
【００８３】
画面制御部４１は、メイン領域５０を、さらに固定表示領域５２と、可変表示領域５３とに分けるように構成されている。
【００８４】
固定表示領域５２には、少なくともコンバイン１の機体又はコンバイン１よる作業についての設定又は状態に関する各種情報のうち、特定の情報に応じた特定情報画像が表示される。特定の情報には、コンバイン１の作業中において、常に表示することが好ましい情報であり、走行速度、わら処理の状態（カッタ、ドロッパ）、副変速機の状態、刈高さ、脱穀対象物の種別（稲、麦、大麦）、エンジンの回転速度が含まれる。
【００８５】
固定表示領域５２は、メイン領域５０のうち中央やや右よりの位置に配置され、その中央にコンバイン１の走行速度についての情報に基づいて、数値を表示させる態様によってコンバイン１の走行速度が表示されている。走行速度に応じた情報画像の周囲には、タコメータによってエンジンの回転速度が表示されている。
【００８６】
タコメータは、エンジンの回転速度を、単位目盛りが円弧状に配置された目盛り盤領域と、及び、目盛り盤領域の中心を回転軸として、エンジンの回転速度に応じて回転し、該回転速度に応じた値をさす指針とから構成されている。
【００８７】
走行速度に応じた情報画像の下方には、わら処理の状態（ドロッパ）、副変速機の状態（副Ｈ）、刈高さ（刈Ｌ）、脱穀対象物の種別（稲）が文字やアイコンによって表示されている。
【００８８】
このように、固定表示領域５２が、画面部３４の中央よりに配置されることにより、視認性及び画面部３４に表示される各種情報の意匠性が高められている。
【００８９】
本実施形態においては、画面制御部４１は、可変表示領域５３を、固定表示領域５２の左右に二箇所ずつ、固定表示領域５２の目盛り盤領域の外周に沿うような形状を有する任意表示領域５３ａ〜５３ｄに分ける。
【００９０】
画面制御部４１は、任意表示領域５３ａ〜５３ｄごとに、各種情報のうち、人為的な指示に基づいて選択された情報に応じた選択情報画像を表示すること、又は、人為的な指示に基づいていずれの情報に応じた情報画像も表示させないことが設定可能に構成されている。
【００９１】
任意表示領域５３ａ〜５３ｄに表示可能な、選択された情報には、少なくとも数値によって設定ないし状態を表す数値情報と、少なくともバーグラフによって設定ないし状態を表す増減情報とが含まれている。
【００９２】
数値情報として、食味、収量、燃料レベルが例示でき、増減情報として、収量、シーブの負荷レベル、水温、尿素ＳＣＲ残量、燃料レベルが例示できる。固定表示領域５２に表示される特定情報画像に関する特定の情報と、可変表示領域５３に表示可能な選択情報画像に関する情報とは異ならされている。固定表示領域５２と可変表示領域５３とで表示される情報が被らない。
【００９３】
数値情報としての、食味、収量、及び燃料レベルは、「食味・収量（統計）」、「食味・収量」、「食味」、及び「収量・燃料」のように分類され、増減情報としての、収量、シーブの負荷レベル、水温、尿素ＳＣＲ残量、及び燃料レベルは「モミレベル」、「シーブレベル」、「尿素ＳＣＲ残量」、「燃料レベル」、及び「水温」のように分類される。
【００９４】
図２に示された画面部３４においては、任意表示領域５３ａには「食味・収量（統計）」に応じた選択情報画像として、平均タンパク……（％）、平均水分……（％）、及び積算重収量……（ｋｇ）のように文字及び数値を含んだ画像が表示されている。
【００９５】
図２に示された画面部３４においては、任意表示領域５３ｂには「水温」に応じた選択情報画像として、水温を示すアイコンと、湾曲したバーグラフとを含んだ画像が表示されている。該バーグラフは、該、上下方向に沿って並んだ所定の単位目盛り間に、所定のサイズかつ所定の表示色の図形を表示させることにより水温が表される。本実施形態においては、目盛りの数は８であり、そのうち上の一つが閾値レベルとして設定されている。
【００９６】
図２に示された画面部３４においては、任意表示領域５３ｃには「モミレベル」に応じた選択情報画像として、モミレベルを示すアイコンと、湾曲したバーグラフとを含んだ画像が表示されている。該バーグラフは、該、上下方向に沿って並んだ所定の単位目盛り間に、所定のサイズかつ所定の表示色の図形を表示させることによりモミレベルが表される。本実施形態においては、目盛りの数は１０であり、そのうち上の二つが閾値レベルとして設定されている。
【００９７】
図２に示された画面部３４においては、任意表示領域５３ｄには、「シーブレベル」に応じた選択情報画像として、シーブレベルを示すアイコンと、湾曲したバーグラフとを含んだ画像が表示されている。該バーグラフは、上下方向に沿って並んだ所定の単位目盛り間に、所定のサイズかつ所定の表示色の図形を表示させることによりシーブレベルが表される。本実施形態においては、目盛りの数は５であり、そのうち上の一つが閾値レベルとして設定されている。
【００９８】
画面制御部４１は、表示記憶部４３に記憶されている背景画像のうち各種情報に応じた背景画像を呼び出すとともに、例えば、数値や文字、所定の目盛り間に所定の表示色を表示させることによって、各種情報のそれぞれに応じた情報画像を形成し、各種情報に応じた態様によって画面部３４に表示するように構成されている。
【００９９】
ここで、図６に示すように、画面部３４が情報表示モード７０であるときに、操作具３８の確定スイッチ３８ｅを操作すると、図６に示すように、任意表示領域５３ａ〜５３ｄに表示すべき情報画像に応じた情報を選択可能な選択モード７４に遷移する。
【０１００】
この選択モード７４においては、固定表示領域５２に対応する箇所に操作具３８の上スイッチ３８ａ又は下スイッチ３８ｃを操作に伴って上下に回転するドラムロール式の選択肢画像５３ｅが配置される。操作具３８の上スイッチ３８ａ又は下スイッチ３８ｃを操作することによって、選択肢画像５３ｅを回転させ、所定の項目において確定スイッチ３８ｅを操作すると、任意表示領域に５３ａ〜５３ｄのうち切替の対象である任意表示領域に表示すべき情報画像に応じた情報が表示される。また、選択モード７４において、左スイッチ３８ｂ又は右スイッチ３８ｄを操作することによって任意表示領域に５３ａ〜５３ｄのうち、表示すべき情報画像に応じた情報の切替の対象となる任意表示領域を切替可能である。
【０１０１】
切替可能な情報としては、上述のしたように、「食味・収量（統計）」、「食味・収量」、「食味」、「収量・燃料」のような項目に分類された数値情報と、「モミレベル」、「シーブレベル」、「尿素ＳＣＲ残量」、「燃料レベル」、「水温」のような項目に分類された増減情報が存在する。
【０１０２】
「食味・収量」を選択すると、これに応じた選択情報画像としては、タンパク……（％）、水分……（％）、及びモミ……（ｋｇ）のように文字及び数値を含んだ画像が表示される。
【０１０３】
「食味」を選択すると、これに応じた選択情報画像としては、タンパク……（％）、及び水分……（％）のように文字及び数値を含んだ画像が表示される。
【０１０４】
「収量・燃料」に応じた選択情報画像としては、モミ……（ｋｇ）、燃料消費収量……（Ｌ）のように文字及び数値を含んだ画像が表示される。
【０１０５】
「尿素ＳＣＲ残量」に応じた選択情報画像としては、尿素ＳＣＲ残量を示すアイコンと、湾曲したバーグラフとを含んだ画像が表示される。該バーグラフは、上下方向に沿って並んだ所定の単位目盛り間に、所定のサイズかつ所定の表示色の図形を表示させることにより尿素ＳＣＲ残量が表される。本実施形態においては、目盛りの数は一であり、０レベルから満タンレベルのうち満タンレベル側の１０〜２０％程度に閾値レベルが設定されている。
【０１０６】
「燃料レベル」に応じた選択情報画像としては、燃料レベルを示すアイコンと、湾曲したバーグラフとを含んだ画像が表示される。なお、該バーグラフは、上下方向に沿って並んだ所定の単位目盛り間に、所定のサイズかつ所定の表示色の図形を表示させることにより燃料レベルが表される。本実施形態においては、目盛りの数は０レベルから満タンレベルまでの一であり、０レベルから満タンレベルのうち、満タンレベル側の１０〜２０％程度に閾値レベルが設定されている。
【０１０７】
なお、収量、シーブの負荷レベル、水温、尿素ＳＣＲ残量、燃料レベルは、重要度の高低が設定されている。
【０１０８】
例えば、収量、シーブの負荷レベルは重要度が相対的に高く、水温、尿素ＳＣＲ残量、燃料レベルは重要度が相対的に低いため、「モミレベル」、「シーブレベル」の項目を選択したときに表示されるバーグラフの単位目盛り間に表示される図形の少なくとも幅は、「尿素ＳＣＲ残量」、「燃料レベル」、「水温」の項目を選択したときに表示されるバーグラフの単位目盛り間に表示される図形の幅よりも広くなっている。さらには、その表示色の輝度や彩度が高くして、視認性を高めてもよい。増減情報に応じて、表示する図形の少なくともサイズ又は表示色を変更することにより、該増減情報の視認性を高めることができる。重要度が高い情報ほど視認性が高くなる態様によって表示されるため、作業員は重要度が情報ほど確認しやすい。
【０１０９】
また、画面制御部４１は、数値情報、すなわち「食味・収量（統計）」、「食味・収量」、「食味」、及び「収量・燃料」に応じた数値情報画像を、複数の任意表示領域５３ａ〜５３ｄのうち画面部３４において最も左に位置する任意表示領域５３ａにのみ表示可能に構成されている。
【０１１０】
したがって、最も左に位置する任意表示領域５３ａには、「食味・収量（統計）」、「食味・収量」、「食味」、「収量・燃料」、「モミレベル」、「シーブレベル」、「尿素ＳＣＲ残量」、「燃料レベル」、「水温」、及びいずれの情報に応じた情報画像も表示しないことを意味する「なし」の十項目の中からいずれかの項目を選択することができるように構成されている。
【０１１１】
例えば、図６に示すように、任意表示領域５３ａについて、表示すべき選択情報画像に応じた情報を、「食味・収量（統計）」から、「尿素ＳＣＲ残量」に切り替えることができる。
【０１１２】
図６に示すように、数値情報、ここでは「食味・収量（統計）」に応じた数値情報画像を任意表示領域５３ａに表示するときは、該「食味・収量（統計）」に応じた情報画像を表示することとなる任意表示領域５３ａを、該任意表示領域５３ａに、増減情報、ここでは「尿素ＳＣＲ残量」に応じた増減情報画像を表示させるときよりも、拡張して表示するように構成されている。
【０１１３】
「食味・収量（統計）」のような数値情報画像と、「尿素ＳＣＲ残量」のような増減情報画像とでは、数値情報画像のほうが、表示に広いスペースが必要である。上述のように、数値情報に応じた数値情報画像を表示するときには、十分なスペースを割り当てることによって、数値情報の視認性が高められている。
【０１１４】
また、選択モード７４においては、図７に示すように、任意表示領域５３ａについて、表示すべき選択情報画像に応じた情報を、「食味・収量（統計）」から、「なし」に切り替えることができる。
【０１１５】
このとき、画面制御部４１は、任意表示領域５３ｂにおいて表示される「水温」についての選択情報画像が、任意表示領域５３ａ側へと拡張されて表示するように構成されている。
【０１１６】
具体的には、表示記憶部４３には、同じ情報、ここでは「水温」に応じた情報画像であっても、幅の異なる背景画像が記憶されており、画面制御部４１は幅の広いほうの背景画像を表示するとともに目盛りに所定の表示色を表示することによって、「水温」に応じた情報画像を形成し、これを画面部３４に表示させる。
【０１１７】
画面制御部４１は、任意表示領域５３ａ以外の任意表示領域５３ｂ〜５８には、「モミレベル」、「シーブレベル」、「尿素ＳＣＲ残量」、「燃料レベル」、「水温」、「なし」の六項目の中からいずれかの項目を選択することができるように構成されている。
【０１１８】
また、画面制御部４１は、同じ情報、例えば同じ「燃料レベル」についての情報であっても、その情報画像を、任意表示領域５３ａ、任意表示領域５３ｂ、任意表示領域５３ｃ及び任意表示領域５３ｄに対してそれぞれ異なった態様、例えば表示する画像の形状を異ならせることによって表示させるように構成されている。
【０１１９】
具体的には、表示記憶部４３には、同じ情報、例えば「燃料レベル」に応じた情報画像であっても、左右が反転したような背景画像が記憶されており、画面制御部４１は表示することが選択された任意表示領域に対応した形状の背景画像を表示するとともに目盛りに所定の表示色を表示するように構成されている。このように、各種情報を、画面部３４において表示することとなる任意表示領域５３ａ〜５３ｄの形状に応じて異ならせ、視認性に悪影響を与えることなく、意匠性が高くなるような態様で表示することができる。
【０１２０】
すなわち、画面制御部４１は、複数の任意表示領域５３ａ〜５３ｄを、画面部３４における位置に応じて異ならせるとともに、任意表示領域５３ａ〜５３ｄごとに、その形状に応じた態様によって、少なくともコンバイン１の機体又はコンバイン１による作業についての設定又は状態に関する各種情報に応じた情報画像を表示可能に構成されている。
【０１２１】
上述した実施形態においては、任意表示領域５３ａ〜５３ｄに表示させる情報が異なっている場合について説明したが、これに限らない。画面制御部４１は、任意表示領域５３ａ〜５３ｄのすべてに同じ情報に応じた情報画像を表示させることもできるし、任意表示領域５３ａ〜５３ｄのうち、例えば一つにのみ項目「モミレベル」に応じた情報画像を表示し、その他の任意表示領域に項目「なし」に応じた、すなわちいずれの情報に応じた情報画像も表示させないことも可能である。
【０１２２】
図８に示すように、表示制御装置４０は、各種情報のうち任意表示領域５３ａ〜５３ｄに表示させる情報について選択された画面状態を複数パターン、本実施形態においては３パターンを表示記憶部４３に記憶可能に構成され、画面制御部４１は、表示記憶部に記憶された３パターンの画面状態のうち画面部３４に表示させる画面状態を、人為的な指示に基づいて、例えば、操作具３８の左スイッチ３８ｂ及び右スイッチ３８ｄの操作により、スクロールさせて切替可能に構成されている。
【０１２３】
なお、画面状態は、表示記憶部４３において内部的に番号づけされるなどして区別され、例えば画面番号７１、画面番号７２、画面番号７３のように区別され、コンバイン１の起動時には、毎回特定の画面番号７１の画面状態が表示される。また、各画面番号７１，７２，７３の画面状態から設定モード８０に遷移した後に、情報表示モード７０に戻るときは、設定モード８０に遷移する直前の画面番号７１，７２，７３に応じた画面状態が表示される。
【０１２４】
図９に示すように、設定モード８０においては、作業タブ８１、メータータブ８２、ＰＦタブ８３を選択して表示可能に構成される。
【０１２５】
作業タブ８１においては、メンテナンス時期、警報履歴、及びユーザの各項目が選択できる。ユーザ項目においては、複数の、例えば六名のユーザの登録及びその切替が可能である。警報履歴項目においては、所定数、例えば直近の七つの履歴の記憶及びその表示が可能である。なお、報知情報は、作業員が確認できるカテゴリと、確認できないカテゴリとに分けてもよい。
【０１２６】
メータータブ８２においては、盗難防止、昼／夜モード、輝度調整、時計、言語、及びカメラ表示の各項目が選択できる。ＰＦタブ８３においては、収量側定履歴、作業開始、燃料消費量リセット、こく粒重量警報、収量センサー０点補正、及びタンパク表示の各項目が選択できる。
【０１２７】
表示制御装置４０は、ユーザごとに、情報表示モード７０における各任意表示領域５３ａ〜５３ｄに表示させる選択情報画像、昼／夜モード、輝度調整及び時計における設定を記憶することができる。
【０１２８】
〔サブ領域〕
図２に示すように、サブ領域５１は、メイン領域５０にくらべて狭いスペースとなっている。サブ領域５１に表示される情報には、運転時間、日時、各種報知情報等が含まれる。
【０１２９】
画面制御部４１は、サブ領域５１のうち左端に運転時間（積算値）を表示し、右端に日時を表示する。また、運転時間の表示の右に、後述するように各種報知情報等を文字の態様による簡易画像によって表示する。また、各種報知情報等をアイコンによっても表示可能であり、このような警報に応じた情報としては、尿素ＳＣＲシステムに関する異常が例示できる。画面制御部４１は、該異常が発生しているときは、サブ領域５１のうち日時の表示の左に、該異常に応じたアイコンを表示する。
【０１３０】
〔報知情報〕
画面制御部４１は、画面部３４に上述のような情報画像の他に、少なくともコンバイン１の機体又はコンバイン１による作業に関して報知すべき報知情報に応じた報知画像を表示可能に構成されている。
【０１３１】
報知情報は、複数のカテゴリ、例えば異常情報、警報情報、自己診断情報、及び指示情報に分類され、さらに、各カテゴリごとに重要度の高低が設定されている。表示制御装置４０は、機体制御装置２０からこれらの報知情報を取得する。
【０１３２】
画面制御部４１は、各カテゴリごとに、詳細画像を異なる態様、例えば表示する画像の大きさ、色等を異ならせることによって画面部３４に表示するように構成されている。
【０１３３】
異常情報、警報情報、自己診断情報、及び指示情報は、この順に重要度の高低が設定され、画面制御部４１は、重要度が相対的に高いカテゴリに属する報知情報に応じた報知画像がメイン領域５０に表示されているときには、重要度が相対的に低いカテゴリに属する報知情報に応じた報知画像は表示しない。重要度が高い報知情報ほどそれに応じた報知画像を早めに表示することによって、作業員は重要度が高い報知情報ほど早くに内容を確認することができる。また、報知する情報によっては、標識配設部３７において対応する標識の点灯が同時に行われる。
【０１３４】
〔異常情報〕
異常情報に分類される情報としては、エンジンを停止させることとなった原因を作業員に報知する必要のある情報が含まれ、例えば刈取部２において穀物が詰まってしまったことを報知する「刈取詰まり」情報、操縦部９においてエンジン停止スイッチが押されたことを報知する「エンジン停止スイッチ」情報等が含まれる。
【０１３５】
図１０に示すように、画面制御部４１は、「刈取詰まり」が発生したときは、「刈取詰まり」情報に応じた異常情報画像６０を、少なくとも該異常の原因が解消するまで、画面部３４の全領域に表示するように構成されている。
【０１３６】
この異常情報画像６０には、報知情報を表すタイトル「刈取詰まり」と、その具体的な内容とが含まれる。さらに、具体的な内容に、報知情報に関するイラストと、該報知情報を報知することとなった事象についてのコメント「刈取部の供給搬送部にわらが詰まっています。供給搬送部のわらを取り除いてください。」とが含まれる。このようにタイトル及びその具体的な内容を用いた異常情報画像６０を詳細画像という。作業員は、詳細画像に含まれるタイトル及びその具体的な内容により、その報知情報を容易に確認することができ、そして、報知情報に関するイラストと報知情報を報知することとなった事象についてのコメントとを参照することにより、その原因となった事象に的確に対処することができる。なお、図１０から図１６、及び図１９におけるコンバイン１を左前方から見たイラストは例示でありこれに限らない。実際には警報等の内容に応じて、コンバイン１を、例えば後方より見たイラストや、コンバイン１の要部を拡大したイラストに、報知情報を報知することとなった事象が発生している箇所に対応する部分を着色したり、印を付加したりすることにより、その箇所の把握が容易となるように構成されている。
【０１３７】
〔警報情報〕
警報情報に分類される情報としては、適切な作業が不可能であることを作業員に報知する必要のある情報が含まれ、例えばモミが満杯になっていることを報知する「もみ」情報、シーブケース上のこく粒が多くなっていることを報知する「シーブ」情報、燃料が少なくなっていることを報知する「燃料給油」情報、尿素ＳＣＲシステムの異常を報知する「ＳＣＲシステム異常」情報、尿素水の品質異常を報知する「尿素水品質異常」情報等が含まれる。
【０１３８】
〔重度警報情報〕
警報情報のうち「燃料給油」情報、「ＳＣＲシステム異常」情報、「尿素水品質異常」情報等は、このような状態が報知されることになると、コンバイン１の走行に支障があることから、重度の警報情報に分類される。
【０１３９】
図１１に示すように、画面制御部４１は、例えば、燃料センサー７ｃからの信号によって燃料の残量が少なくなっていることを検出したときは、「燃料給油」情報に応じた報知画像としての重度警報情報画像６１を画面部３４に表示するように構成されている。この重度警報情報画像６１は、異常情報に応じた異常情報画像６０よりは小さいものの、少なくとも該報知の原因が解消するまで、情報表示モード７０における情報画像に重なるように画面部３４に表示される。なお、画面制御部４１は重度警報情報画像６１を、少なくとも該報知の原因が解消するまで、画面部３４の全領域に表示するように構成されていてもよい。
【０１４０】
この重度警報情報画像６１には、報知情報を表すタイトル「燃料給油」と、その具体的な内容とが含まれる。さらに、具体的な内容に、報知情報に関するイラストと、該報知情報を報知することとなった事象についてのコメント「燃料が少なくなっています。エンジンを停止し、燃料を給油してください。」とが含まれる。なお、このような態様による警報画面も詳細画像という。
【０１４１】
〔軽度警報情報〕
上記重度の警報情報に対して、警報情報のうち、「もみ」情報や「シーブ」情報は、これらを報知するような状態となっても、コンバイン１の走行には支障がないことから、軽度の警報情報に分類される。
【０１４２】
図１２に示すように、画面制御部４１は、収量センサー５ｂからの信号によって、貯留部５に貯留されているモミが満杯になっていることを検出したときは、「もみ」情報に応じた報知画像としての軽度警報情報画像６２を画面部３４に表示するように構成されている。この軽度警報情報画像６２は、画面部３４に、重度の警報情報に応じた重度警報情報画像６１と同じ大きさで表示される。なお、画面制御部４１は軽度警報情報画像６２を、少なくとも該報知の原因が解消するまで、画面部３４の全領域に表示するように構成されていてもよい。
【０１４３】
この軽度警報情報画像６２には、報知情報を表すタイトル「もみ」と、その具体的な内容とが含まれる。さらに、具体的な内容に、報知情報に関するイラストと、該報知情報を報知することとなった事象についてのコメント「もみが満杯です。作業を停止し、もみを排出してください。」とが含まれる。なお、このような態様による軽度警報情報画像６２も詳細画像という。
【０１４４】
少なくともコンバイン１の機体又はコンバイン１による作業に関して報知すべき事象が発生したときに、その報知すべき内容を詳細に表した詳細画像がメイン領域５０に表示されるため、作業員は容易にその内容を確認することができる。
【０１４５】
画面制御部４１は、作業員による操作部３３の人為的な操作、例えば操作具３８の下スイッチ３８ｃが操作されると、画面部３４に表示した軽度警報情報画像６２を非表示とすることができるように構成されている。画面制御部４１は、該操作に応じて、サブ領域５１に、報知すべき内容を簡易に表した簡易画像を表示するように構成されている。例えば、報知情報として「もみ」情報が存在するときに、操作具３８の下スイッチ３８ｃが操作されると、メイン領域５０に表示されていた「もみ」情報に応じた詳細画像が非表示となり、詳細画像におけるタイトル「もみ」が、サブ領域５１に簡易画像として表示される。なお、このときメイン領域５０には情報画像が表示される。
【０１４６】
作業員は、該詳細画像の内容を確認した後は、その表示を終了させて、少なくともコンバイン１の機体又はコンバイン１による作業についての設定又は状態に関する各種情報に応じた情報画像をメイン領域５０に再び表示させる。なお、報知すべき事象の内容を簡易に表示した簡易画像がサブ領域５１に表示されるため、運転や作業を継続しながらも、報知すべき事象の内容を確認することができる。
【０１４７】
また、画面制御部４１は、サブ領域５１に簡易画像として、「もみ」の文言を表示しているときに、人為的な表示切替指示に基づいて、例えば操作具３８の下スイッチ３８ｃを再び操作することによって、メイン領域５０に表示していた情報画像に代えて軽度警報情報画像６２の詳細画像、すなわち軽度警報情報画像６２を表すタイトル「もみ」と、その具体的な内容とを再び表示する。その際、サブ領域５１に表示している「もみ」の文言を非表示とするため表示が冗長とならない。
【０１４８】
以上のように、画面制御部４１は、軽度の警報情報が存在するときに、操作具３８の操作に応じて、メイン領域５０に詳細情報の態様で表示したり、サブ領域５１に簡易情報の態様で表示したりすることができる。
【０１４９】
さらに、画面制御部４１は、特に、軽度の警報情報に分類される報知情報が複数存在するときに、メイン領域５０に複数の報知情報のそれぞれに応じた複数の詳細画像を表示するにあたり、操作具３８の人為的な表示切替指示に基づいて、複数の詳細画像を順次切り替えて表示可能に構成されている。
【０１５０】
例えば、図１３に示すように、報知情報として、「もみ」情報と「シーブ」情報とが存在するときに、画面部３４のメイン領域５０には、「もみ」情報に応じた軽度警報情報画像６２が表示されている。ここで、操作具３８の左スイッチ３８ｂ又は右スイッチ３８ｄが操作されると、「シーブ」情報に応じた軽度警報情報画像６３が切替表示される。なお、報知情報には優先度が設定され、優先度に応じて昇順又は降順により表示される。
【０１５１】
また、画面制御部４１は、作業員による操作部３３の人為的な操作、例えば操作具３８の下スイッチ３８ｃの操作の度に、表示されている軽度警報情報画像６２，６３を、メイン領域５０における表示から、サブ領域５１における簡易画像として表示に切り替える。
【０１５２】
上述と同様に、図１３に示すように、報知情報として、「もみ」情報と「シーブ」情報とが存在するときに、画面部３４には、「もみ」情報に応じた軽度警報情報画像６２が表示されている。ここで、操作具３８の下スイッチ３８ｃが操作されると、メイン領域５０に表示されていた「もみ」情報に応じた詳細画像が非表示となり、詳細画像におけるタイトル「もみ」が、サブ領域５１に簡易画像として表示される。なお、このときメイン領域５０には「シーブ」情報に応じた軽度警報情報画像６３の詳細画像が切替表示される。
【０１５３】
ここで、さらに、操作具３８の下スイッチ３８ｃが操作されると、メイン領域５０に表示されていた「シーブ」情報に応じた軽度警報情報画像６２の詳細画像が非表示となり、該詳細画像におけるタイトル「シーブ」も、サブ領域５１に簡易画像として表示される。なお、このときメイン領域５０には情報画像が表示される。
【０１５４】
画面制御部４１は、報知情報が複数存在するときに、例えば、報知情報として、「もみ」情報と「シーブ」情報とが存在するときに、サブ領域５１に複数の報知情報のそれぞれに応じた複数の簡易画像を表示するにあたり、人為的な表示切替指示、例えば操作具３８の左スイッチ３８ｂ又は右スイッチ３８ｄの操作に基づいて、複数の簡易画像、すなわち、「もみ」情報に応じた簡易画像と「シーブ」情報に応じた簡易画像とを順次切り替えて表示可能に構成されている。
【０１５５】
また、画面制御部４１は、サブ領域５１に簡易画像として、「もみ」又は「シーブ」の文言を表示しているときに、人為的な表示切替指示に基づいて、例えば操作具３８の下スイッチ３８ｃを再び操作することによって、メイン領域５０に表示していた情報画像に代えて軽度警報情報画像６２の詳細画像、すなわち報知情報を表すタイトル「もみ」と、その具体的な内容とを表示するとともに、サブ領域５１に表示している「もみ」又は「シーブ」の文言を非表示とする。メイン領域５０においては、操作具３８の左スイッチ３８ｂ又は右スイッチ３８ｄが操作されると、「シーブ」情報に応じた軽度警報情報画像６３が軽度警報情報画像６２に代えて表示される。
【０１５６】
上述のように画面制御部４１は、報知情報が複数存在するときであっても、操作具３８の操作に応じて、メイン領域５０に詳細情報の態様で表示したり、サブ領域５１に簡易情報の態様で表示したりすることができる。
【０１５７】
〔自己診断情報〕
自己診断情報に分類される報知情報としては、コンバイン１の機体の状態が正常でなくメンテナンスが必要であることを作業員に報知する必要のある情報が含まれ、例えばアンローダ（排出部６）の旋回センサー６ａ（図４参照）の微調整が行われていないことを報知する「アンローダ」情報、主変速レバー１４のセンサー信号に異常が発生しているために、エンジンの始動ができないことを報知する「主変速レバー」情報等が含まれる。
【０１５８】
図１４に示すように、画面制御部４１は、旋回センサー６ａからの信号を検出したときは、例えば「アンローダ」情報に応じた報知画像としての自己診断情報画像６４を画面部３４に表示するように構成されている。このときの自己診断情報画像６４は、画面部３４には、上述した軽度の警報情報に応じた軽度警報情報画像６２，６３と同様に、情報表示モード７０における情報画像に重なるように画面部３４に表示される。なお、画面制御部４１は自己診断情報画像６４を、少なくとも該報知の原因が解消するまで、画面部３４の全領域に表示するように構成されていてもよい。
【０１５９】
なお、操作具３８を操作したときの挙動や、自己診断情報に分類される報知情報が複数存在するときの挙動は、上述した軽度警報についての挙動と同様である。
【０１６０】
図１５に示すように、画面制御部４１は、軽度の警報情報である「もみ」情報と、「シーブ」情報と、自己診断情報である「アンローダ」情報とが混在するときに、まず、メイン領域５０に「もみ」情報に応じた軽度警報情報画像６２を表示する。操作具３８の下スイッチ３８ｃが操作されると、メイン領域５０に表示されていた「もみ」情報に応じた詳細画像が非表示となり、詳細画像におけるタイトル「もみ」が、サブ領域５１に簡易画像として表示される。そして、メイン領域５０に「シーブ」情報に応じた詳細画面としての軽度警報情報画像６３が切替表示される。操作具３８の下スイッチ３８ｃが操作されると、メイン領域５０に表示されていた「シーブ」情報に応じた詳細画像が非表示となり、詳細画像におけるタイトル「シーブ」が、サブ領域５１に簡易画像として表示される。そしてようやく、メイン領域５０に「アンローダ」情報に応じた詳細画面としての自己診断情報画像６４が切替表示される。さらに、操作具３８の下スイッチ３８ｃが操作されると、メイン領域５０に表示されていた「アンローダ」情報に応じた詳細画像が非表示となり、詳細画像におけるタイトル「アンローダ」が、サブ領域５１に簡易画像として表示される。
【０１６１】
このように、画面制御部４１は、軽度の警報情報と、自己診断情報とが混在するときには、軽度の警報情報のほうが自己診断情報よりも重要度が高いことから、軽度の警報情報に応じた軽度警報情報画像６２のすべてをサブ領域５１における簡易画像としての表示に切り替えないかぎり、自己診断情報に応じた自己診断情報画像６４をメイン領域５０に表示させない。
【０１６２】
なお、画面制御部４１は、サブ領域５１に簡易画像として、「もみ」、「シーブ」又は「アンローダ」の文言を表示しているときに、人為的な表示切替指示に基づいて、例えば操作具３８の下スイッチ３８ｃを再び操作することによって、メイン領域５０に表示していた情報画像に代えて軽度警報情報画像６２の詳細画像、すなわち報知情報を表すタイトル「もみ」と、その具体的な内容とを表示するとともに、サブ領域５１に表示している「もみ」、「シーブ」及び「アンローダ」の文言を非表示とする。
【０１６３】
〔指示情報〕
指示情報に分類される情報としては、適切な作業を可能とするために作業員に報知する必要のある情報が含まれ、例えば駐車ブレーキが掛かったままになっていることを報知する「駐車ブレーキ」情報、脱穀部３においてこぎ胴のカバーが適切に閉じられていないことを報知する「こぎ胴」情報等が含まれる。
【０１６４】
図１６に示すように、画面制御部４１は、ブレーキセンサー１ｂからの信号を検出したときは、「駐車ブレーキ」情報に応じた報知画像としての指示情報画像６５を画面部３４に表示するように構成されている。この指示情報画像６５は、異常情報に応じた異常情報画像６０よりは小さいものの、少なくとも該報知の原因が解消するまで、情報表示モード７０における情報画像に重なるように画面部３４に表示される。なお、画面制御部４１は指示情報画像を６６を、少なくとも該報知の原因が解消するまで、画面部３４の全領域に表示するように構成されていてもよい。
【０１６５】
〔操作画像〕
さらに、図１７に示すように、画面制御部４１は、コンバイン１の機体又はコンバイン１による作業についての人為的な操作がされたときに、該操作に応じた操作画像６６を、メイン領域５０の一部に表示可能に構成されている。
【０１６６】
人為的な操作としては、操作パネル部１６におけるエンジンの始動及び停止切替スイッチ、主変速レバー１４に設けられている副変速スイッチ（図示せず）及びこぎ深さの切替スイッチ（図示せず）、クラッチレバー１５、操作ボタン群に設けられている刈り取り高さの調節ノブ、車速の調節ノブ、脱穀対象物の選択ノブ等のノブ類や、アンローダの姿勢変更ボタン、アンローダによるモミ排出の開始ボタン、モミ排出の停止ボタン等のボタン類の操作が例示できる。
【０１６７】
例えば、こぎ深さの切替スイッチが操作されると、操作検出センサーからの信号が機体制御装置２０を介して表示制御装置４０に伝達される。操作検出センサーからの信号を取得した表示制御装置４０は、こぎ深さの切替スイッチが操作されたと判断し、画面制御部４１は、操作画像６６を、メイン領域５０側においてメイン領域５０とサブ領域５１との境界に沿ってアニメーションの態様によって表示する。操作画像６６は、連続した動きをもって表示されるため、これを見る者の注意を引きやすい。なお、アニメーションはフェードインやカットインが例示できる。
【０１６８】
操作画像６６は、画面部３４に対して小さめの矩形の画像であり、操作に応じた情報が文字、数値、アイコン等によって表示されている。
【０１６９】
画面制御部４１は、操作画像６６を、可変表示領域５３に表示するが、固定表示領域５２には表示されないように構成されている。したがって、作業員は、操作に応じた情報を取得しつつ、固定表示領域５２に表示されている情報の取得もできる。本実施形態においては、固定表示領域５２が、操作画像６６が表示されない第一表示領域であり、可変表示領域５３が、操作画像６６が表示される第二表示領域である。
【０１７０】
画面制御部４１は、表示した操作画像６６を、人為的な操作の開始から一定時間後、例えば５秒後に、メイン領域５０側においてメイン領域５０とサブ領域５１との境界に沿ってアニメーションの態様によって非表示する。連続した動きをもって操作画像６６が非表示とされるため、これを見る者の注意を引きやすい。なお、アニメーションはフェードアウトやカットアウトが例示できる。
【０１７１】
人為的な操作の終了と同時に、該操作に応じて表示された操作画像６６が非表示となってしまう構成であると、操作画像６６を確認し損ねる虞がある。これに対して、上述の構成によると、人為的な操作の開始から一定時間経過するまでは非表示とされないため、操作画像６６を確認し損ねる虞を減らすことができる。なお、該操作画像６６は自動的に非表示となるため、運転席にいる者が、該操作画像６６を非表示とするための作業は不要である。
【０１７２】
〔カメラ画像モード〕
さらに、画面制御部４１は、例えば図２を用いて説明したような、情報表示モード７０と、図１８に示すような、画面部３４にカメラ画像領域が含まれるカメラ画像モード９０と有するように構成されている。
【０１７３】
コンバイン１を後進させる操作、すなわち主変速レバー１４が後方に揺動操作されると、これに連動して画面制御部４１は、画面部３４の表示を情報表示モード７０からカメラ画像モード９０による表示へと切り替える。したがって、作業員が該切り替えのための作業をする必要がない。
【０１７４】
カメラ画像モード９０においては、画面部３４の中央のカメラ画像領域５４には、カメラ８が撮影した撮影画像が表示され、カメラ画像領域５４の左方の特定状態情報領域５５に、少なくともコンバイン１の機体又はコンバイン１による作業についての特定の状態に関する特定状態情報として、エンジンの回転速度に応じた情報画像が表示され、カメラ画像領域５４の右方の特定状態情報領域５６に、少なくともコンバイン１の機体又はコンバイン１による作業についての特定の状態に関する特定状態情報として、モミレベルに応じた情報画像が表示される。これらの情報は、コンバイン１が後進中であっても、作業員が常にそれらの状態を確認することが好ましい情報であるため、カメラ画像モード９０においても表示されるのである。
【０１７５】
図１８に示されるように、特定状態情報領域５５には、エンジンの回転速度が、単位目盛りが円弧状に配置された目盛り盤領域と、エンジンの回転速度に応じて目盛り盤領域の中心を回転軸として回転し、回転速度に応じた値をさす指針とから構成されたタコメータによって表示される。なお、カメラ画像モード９０におけるタコメータは、情報表示モード７０において固定表示領域５２に示されるタコメータよりも、目盛り盤領域の曲率半径が大きい。
【０１７６】
図１４に示されるように、特定状態情報領域５６には、モミレベルが、モミレベルを示すアイコンと、上下方向に沿って単位目盛りが配置され、モミレベルに応じて単位目盛り間に所定のサイズかつ所定の表示色を表示させるように構成された、少し湾曲したバーグラフによって表示される。本実施形態においては、目盛りの数は１０であり、そのうち二つが閾値レベルとして設定されている。なお、カメラ画像モード９０におけるバーグラフは、情報表示モード７０において任意表示領域５３ａ〜５３ｄに示されるモミレベルに応じたバーグラフよりも、単位目盛りの曲率半径が大きい。
【０１７７】
情報モードにおいては、エンジンの回転速度やモミレベルに応じた情報画像を表示する領域を大きく確保することによって、視認性を高める態様によって表示することができる。一方、カメラ画像モード９０においては、カメラが撮影した撮影画像を表示する領域を十分に確保した上で、それ以外の領域にエンジンの回転速度やモミレベルに応じた情報画像を表示することによって、最低限の視認性を維持しながらも、カメラが撮影した撮影画像を表示することができる。
【０１７８】
図１９に示すように、画面制御部４１は、情報表示モード７０において、さらに、少なくともコンバイン１の機体又はコンバイン１による作業に関して報知すべき報知情報に応じた報知画像であって、報知すべき内容を詳細に表した詳細画像を表示可能に構成され、カメラ画像モード９０において、画面部３４のうち特定状態情報領域５６に、報知情報に応じた報知画像であって、報知情報の存在を喚起するための喚起画像６７を表示可能に構成されている。なお、喚起画像６７は、特定状態情報領域５５に表示されてもよい。喚起画像６７を表示することにより報知情報の存在を喚起しながらも、その表示がカメラ画像領域５４に及ばないため、カメラが撮影した撮影画像が見えなくなることがない。
【０１７９】
なお、喚起画像６７は、カメラ画像モード９０から情報表示モード７０に切り替えられると、報知情報の報知画像としての、本実施形態においては軽度警報情報画像６２に切り替えて表示される。
【０１８０】
以下に、本発明に係る表示装置３０の別実施形態について説明する。
【０１８１】
上述した実施形態においては、筐体３１は、正面視において、操作部３３側の下側角部が切りかかれた形状に構成されていたが、これに限らない。筐体３１の左右の端部のうち、操作部３３側において、上下方向の幅が段階的に又は徐々に狭くなる形状に構成されていればよい。したがって、上側角部が切りかれた形状に構成されていてもよい。操作部３３側において筐体３１をコンパクトにすることができる。
【０１８２】
上述した実施形態においては、表示装置３０は、筐体３１の正面視において、左側に表示部３２が備えられ、右側に操作部３３が備えられている場合について説明したが、これに限らない。表示装置３０は、筐体３１の正面視において、右側に表示部３２が備えられ、左側に操作部３３が備えられていてもよい。
【０１８３】
上述した実施形態において、標識配設部３７は、画面部３４の下方に、画面部３４と間隔をあけて配置されている場合について説明したが、これに限らない。標識配設部３７は、画面部３４の上方に画面部３４と間隔をあけて配置されていてもよい。標識配設部３７は、画面部３４の四辺のうち負荷表示部３５が沿うように設けられている一辺とは異なる一辺に沿うように設けられていればよい。
【０１８４】
上述した実施形態においては、表示制御装置４０は、機体制御装置２０と別体に構成され、表示装置３０の筐体３１の内部に配置されている場合について説明したが、これに限らない。表示装置３０の筐体３１の外部に配置されていてもよいし、表示制御装置４０は、機体制御装置２０と一体に構成されてもよい。
【０１８５】
上述した実施形態においては、画面制御部４１は、複数の任意表示領域５３ａ〜５３ｄのうち、隣り合う任意表示領域５３ｂ，５３ｃの間に、固定表示領域５２を配置するように構成されている場合について説明したが、画面制御部４１は、隣り合う任意表示領域５３ｂ，５３ｃの間以外の位置、例えば複数の任意表示領域５３ａ〜５３ｄの横に、固定表示領域５２を配置するように構成されていてもよい。
【０１８６】
上述した実施形態においては、画面制御部４１は、可変表示領域５３は、固定表示領域５２と、複数の任意表示領域５３ａ〜５３ｄとを、横方向に並んで配置するように構成されている場合について説明したが、可変表示領域５３は、固定表示領域５２と、複数の任意表示領域５３ａ〜５３ｄとを、縦方向に並んで配置するように構成されていてもよいし、縦方向と横方向を組み合わせて配置するように構成されてもよい。限られた大きさの表示領域において、各種情報の視認性及びその表示の意匠性を高めることができる。
【０１８７】
上述した実施形態においては、画面制御部４１は、いずれかの可変表示領域５３の間に固定表示領域５２を配置する場合について説明したが、固定表示領域５２はなくても良い。その場合は、画面制御部４１は、画面部３４を、横方向又は縦方向に並んだ複数の任意表示領域に分けるように構成されていればよい。
【０１８８】
上述した実施形態においては、画面制御部４１は、複数の任意表示領域５３ａ〜５３ｄのうち、いずれか隣り合う任意表示領域の一方の任意表示領域には情報画像を表示し、他方の任意表示領域には情報画像を表示しないときは、両任意表示領域に情報画像を表示するときよりも、一方の任意表示領域を他方の任意表示領域側へと拡張ように構成されている場合について説明したが、これに限らない。画面制御部４１は、複数の任意表示領域５３ａ〜５３ｄのうち、いずれか隣り合う任意表示領域の一方の任意表示領域には情報画像を表示し、他方の任意表示領域には情報画像を表示しないときは、両任意表示領域に情報画像を表示するときよりも、一方の任意表示領域を他方の任意表示領域側へと移動させるように構成されていてもよい。
【０１８９】
上述した実施形態においては、報知情報が複数存在するときに、画面制御部４１は、サブ領域５１に、複数の報知情報のそれぞれに応じた複数の簡易画像を表示するにあたり、人為的な表示切替指示に基づいて、複数の簡易画像を順次切り替えて表示可能に構成されている。場合について説明したが、これに限らない。報知情報が複数存在するときに、画面制御部４１は、サブ領域５１に、複数の報知情報のそれぞれに応じた複数の簡易画像を表示するにあたり、所定時間ごとに、複数の簡易画像を順次切り替えて表示可能に構成されていてもよい。作業員は、人為的な操作をすることなく、全内容を順に確認することができる。
【０１９０】
上述した実施形態においては、画面制御部４１は、軽度の警報情報に分類される報知情報が複数存在するときに、メイン領域５０に複数の報知情報のそれぞれに応じた複数の詳細画像を表示するにあたり、人為的な表示切替指示に基づいて、複数の詳細画像を順次切り替えて表示可能に構成されている場合について説明したが、これに限らない。画面制御部４１は、メイン領域５０に、複数の報知情報のそれぞれに応じた複数の詳細画像を表示するにあたり、所定時間ごとに、複数の詳細画像を順次切り替えて表示可能に構成されていてもよい。作業員は、人為的な操作をすることなく、全内容を順に確認することができる。
【０１９１】
上述した実施形態においては、画面制御部４１は、画面部３４を、上側がメイン領域５０であり、下側がサブ領域５１となるように二分した場合について説明したが、これに限らない。画面制御部４１は、画面部３４を、下側がメイン領域５０であり、上側がサブ領域５１となるように二分してもよいし、また画面部３４を左右に二分してもよい。
【０１９２】
上述した実施形態においては、画面制御部４１は、表示した操作画像６６を、人為的な操作の開始から一定時後に非表示にするように構成されている場合について説明したが、これに限らない。画面制御部４１は、表示した操作画像６６を、人為的な操作の終了から一定時間後に非表示にするように構成されていてもよい。
【０１９３】
人為的な操作の終了と同時に、該操作に応じて表示された操作画像６６が非表示となってしまう構成であると、操作画像６６を確認し損ねる虞がある。これに対して、上述の構成によると、人為的な操作の終了から一定時間経過するまでは非表示とされないため、操作画像６６を確認し損ねる虞を減らすことができる。なお、該操作画像６６は自動的に非表示となるため、運転席にいる者が、該操作画像６６を非表示とするための作業は不要である。
【０１９４】
上述の構成によると、操作画像６６によって一時的に表示がされなくなってもよい情報をメイン領域５０に表示し、操作画像６６によって一時的であれ表示がされなくなる都合の悪い情報をサブ領域５１に表示することができる。操作画像６６が、メイン領域５０側においてメイン領域５０とサブ領域５１との境界に沿って表示され、かつ、非表示にされるため、意匠性も高い。
【０１９５】
本発明においては、画面制御部４１は、メイン領域５０を、第一表示領域と、第一表示領域を挟むように配置される複数の第二表示領域に分けるとともに、操作画像６６を、第二表示領域のみに表示するように構成されていると好適である。その際、操作画像６６によって一時的に表示がされなくなってもよい情報を第二表示領域に表示し、操作画像６６によって一時的であれ表示がされなくなる都合の悪い情報を第一表示領域に表示することができる。操作画像６６が、メイン領域５０側においてメイン領域５０とサブ領域５１との境界に沿って表示され、かつ、非表示にされるため、意匠性も高い。
【０１９６】
本発明においては、第一表示領域は、少なくともコンバイン１の機体又はコンバイン１による作業についての設定又は状態に関する各種情報のうち、特定の情報に応じた特定情報画像を表示する固定表示領域５２であり、第二表示領域は、各種情報のうち、人為的な指示に基づいて表示させる情報を変更可能な可変表示領域５３であると好適である。
【０１９７】
上述の構成によると、コンバイン１の機体又はコンバイン１による作業についての設定又は状態に関する各種情報のうち重量な情報は特定の情報として固定表示領域５２に常に表示し、そうではない情報を任意に可変表示領域５３に表示するというように画面部３４の表示領域を有効に利用することができる。
【０１９８】
上述した実施形態においては、カメラ画像領域５４の左方の特定状態情報領域５５に、エンジンの回転速度に応じた情報画像が表示され、カメラ画像領域の右方の特定状態情報領域５６に、モミレベルに応じた情報画像が表示される場合について説明したが、これに限らない。カメラ画像領域の右方の特定状態情報領域５６に、エンジンの回転速度に応じた情報画像が表示され、カメラ画像領域５４の左方の特定状態情報領域５５に、モミレベルに応じた情報画像が表示されてもよい。また、特定状態情報がエンジンの回転速度及びモミレベルである場合について説明したが、これに限らない。その他の情報に応じた情報画像であってもよい。
【０１９９】
上述した実施形態においては、画面制御部４１は、画面部３４を、少なくともコンバイン１の機体に備えられたカメラ８が撮影した撮影画像を表示可能なカメラ画像領域５４と、カメラ画像領域を左右から挟むように配置される、少なくともコンバイン１の機体又はコンバイン１による作業についての特定の状態に関する特定状態情報に応じた特定状態情報画像を表示する二つの特定状態情報領域５５，５６とに分けるとともに、特定状態情報画像に関する特定状態情報を、バーグラフ又はタコメータの少なくともいずれかによって表すように構成されている場合について説明したが、これに限らない。
【０２００】
例えば、画面制御部４１は、画面部３４を、少なくともコンバイン１の機体に備えられたカメラ８が撮影した撮影画像を表示可能なカメラ画像領域と、カメラ画像領域を上下から挟むように配置される、少なくともコンバイン１の機体又はコンバイン１による作業についての特定の状態に関する特定状態情報に応じた特定状態情報画像を表示する二つの特定状態情報領域とに分けるとともに、特定状態情報画像に関する特定状態情報を、バーグラフ又はタコメータの少なくともいずれかによって表すように構成されていてもよい。
【０２０１】
上述した実施形態においては、表示装置３０は、運転席１０の左前方に配置されていたが、したがって、右前方に配置されていてもよい。昇降部１２とは反対にあると乗降の際に邪魔にならずにすむ。
【０２０２】
上述した実施形態においては、本発明に係る表示装置３０が、作業機としての普通型のコンバイン１に備えられた場合について説明したが、図２０に示すように、本発明に係る表示装置３０は、作業機としての自脱型のコンバイン１に備えられてもよい。なお図２０に示された自脱型のコンバイン１について、図１に示された普通型のコンバイン１における各部と対応する構成については、同じ符号を付して説明を省略する。
【０２０３】
作業機が普通型のコンバイン１である場合においては、表示装置３０は、運転席１０の左前方に配置されていたが、作業機が自脱型のコンバインである場合においては、表示装置３０は、運転席１０の中央前方に配置されている。表示装置３０は、運転席に着座した作業員の視界の左前方又は右前方から外れるため、圃場の左前方又は右前方を注視しながらの作業が可能となる。
【０２０４】
また、本発明に係る表示装置３０は、作業機としてのコンバイン１に限らず、トラクタやバックフォー等の作業機に備えられてもよい。
【０２０５】
上述した実施形態は、いずれも本発明の一例であり、該記載により本発明が限定されるものではなく、各部の具体的構成は本発明の作用効果が奏される範囲で適宜変更設計可能である。
【符号の説明】
【０２０６】
１        ：コンバイン（作業機）
１ａ      ：走行速度センサー
１ｂ      ：ブレーキセンサー
２        ：刈取部
３        ：脱穀部
３ａ      ：こぎ胴センサー
４        ：選別部
４ａ      ：シーブセンサー
５        ：貯留部
５ａ      ：食味センサー
５ｂ      ：収量センサー
６        ：排出部
６ａ      ：旋回センサー
７ａ      ：回転速度センサー
７ｂ      ：水温センサー
７ｃ      ：燃料センサー
８        ：カメラ
９        ：操縦部
１０      ：運転席
１１      ：運転操作部
１２      ：昇降部
１３      ：操作レバー部
１４      ：主変速レバー
１４ａ    ：副変速スイッチ
１５      ：クラッチレバー
１６      ：操作パネル部
１８      ：ウインカーランプ
１９      ：ウインカーランプ
２０      ：機体制御装置
２１      ：機体制御部
２２      ：機体通信部
２３      ：機体記憶部
３０      ：表示装置
３１      ：筐体
３１ａ    ：矩形開口部
３１ｂ    ：細長開口部
３１ｃ    ：台形開口部
３１ｄ    ：パネル体
３２      ：表示部
３３      ：操作部
３４      ：画面部
３５      ：負荷表示部
３５ａ    ：セグメント
３５ｂ    ：セグメント
３５ｃ    ：セグメント
３５ｄ    ：セグメント
３５ｅ    ：セグメント
３５ｚ    ：ＬＥＤ素子
３６      ：基板
３７      ：標識配設部
３７ａ    ：標識
３７ｂ    ：標識
３７ｃ    ：標識
３７ｄ    ：標識
３７ｅ    ：標識
３７ｆ    ：標識
３７ｇ    ：標識
３７ｈ    ：標識
３７ｉ    ：標識
３７ｊ    ：標識
３７ｚ    ：ＬＥＤ素子
３８      ：操作具
３８ａ    ：上スイッチ
３８ｂ    ：左スイッチ
３８ｃ    ：下スイッチ
３８ｄ    ：右スイッチ
３８ｅ    ：確定スイッチ
３８ｆ    ：設定スイッチ
４０      ：表示制御装置
４１      ：画面制御部
４２      ：表示通信部
４３      ：表示記憶部
４４      ：操作入力部
４５      ：発光制御部
４６      ：発光制御部
５０      ：メイン領域
５１      ：サブ領域
５２      ：固定表示領域
５３      ：可変表示領域
５３ａ    ：任意表示領域
５３ｂ    ：任意表示領域
５３ｃ    ：任意表示領域
５３ｄ    ：任意表示領域
５４      ：カメラ画像領域
５５      ：特定状態情報領域
５６      ：特定状態情報領域
６０      ：異常情報画像
６１      ：重度警報情報画像
６２      ：軽度警報情報画像
６３      ：軽度警報情報画像
６４      ：自己診断情報画像
６５      ：指示情報画像
６６      ：操作画像
６７      ：喚起画像
７０      ：情報表示モード
７４      ：選択モード
８０      ：設定モード
９０      ：カメラ画像モード
【図１】
2019004799.tif 000003
【図２】
2019004799.tif 000004
【図３】
2019004799.tif 000005
【図４】
2019004799.tif 000006
【図５】
2019004799.tif 000007
【図６】
2019004799.tif 000008
【図７】
2019004799.tif 000009
【図８】
2019004799.tif 000010
【図９】
2019004799.tif 000011
【図１０】
2019004799.tif 000012
【図１１】
2019004799.tif 000013
【図１２】
2019004799.tif 000014
【図１３】
2019004799.tif 000015
【図１４】
2019004799.tif 000016
【図１５】
2019004799.tif 000017
【図１６】
2019004799.tif 000018
【図１７】
2019004799.tif 000019
【図１８】
2019004799.tif 000020
【図１９】
2019004799.tif 000021
【図２０】
2019004799.tif 000022